(57)【要約】【課題】突片部材の見映えの悪化を回避することができる筐体ユニットおよび電子機器を提供する。【解決手段】突片部材２５は、筐体１３上で１直線に沿って第１位置および第２位置の間で移動する。突片部材２５の表面には前述の１直線に沿って縞模様が形成される。したがって、突片部材２５の移動中に例えば突片部材２５および筐体１３の接触に基づき突片部材２５の表面に線状痕が形成されても、線状痕は１直線に沿って縞模様４８と同一の方向に形成される。縞模様４８の働きで線状痕は目立たない。突片部材２５の見映えの悪化は回避されることができる。【選択図】図９
2008065444.tif 000002
【特許請求の範囲】
【請求項１】
筐体と、筐体上で１直線に沿って案内され、筐体の表面から一端を突出させる第１位置、および、第１位置から筐体内に一端を後退させる第２位置の間で移動する突片部材とを備え、突片部材の表面には前記１直線に平行に縞模様が形成されることを特徴とする筐体ユニット。
【請求項２】
請求項１に記載の筐体ユニットにおいて、前記筐体に組み込まれて前記突片部材の移動を案内する案内部材と、案内部材に形成されて、前記突片部材に向き合わせられる突起と、前記突片部材に形成されて、前記第１位置の突片部材上で突起を受け入れる第１窪みと、前記突片部材に形成されて、前記第２位置の突片部材上で突起を受け入れる第２窪みとをさらに備えることを特徴とする筐体ユニット。
【請求項３】
第１筐体と、第１軸回りで第１筐体に対して相対回転して第１筐体の表面に表面で向き合う第２筐体と、第２筐体上で１直線に沿って案内され、第２筐体の表面から一端を突出させる第１位置、および、第１位置から第２筐体内に一端を後退させる第２位置の間で移動する突片部材と、第１筐体の表面に区画され、第２筐体が第１軸回りで特定位置に位置決めされると突片部材の一端の進入を受け入れる受け入れ穴とを備え、突片部材の表面には前記１直線に平行に縞模様が形成されることを特徴とする電子機器。
【請求項４】
請求項３に記載の電子機器において、前記第２筐体に組み込まれて前記突片部材の移動を案内する案内部材と、案内部材に形成されて、前記突片部材に向き合わせられる突起と、前記突片部材に形成されて、前記第１位置の突片部材上で突起を受け入れる第１窪みと、前記突片部材に形成されて、前記第２位置の突片部材上で突起を受け入れる第２窪みとをさらに備えることを特徴とする電子機器。
【請求項５】
スライド部材と、１直線上に規定される第１位置、および、第１位置と異なる第２位置の間でスライド部材の移動を案内する案内部材とを備え、スライド部材の表面には前記１直線に平行に縞模様が形成されることを特徴とする部品ユニット。
【発明の詳細な説明】
【技術分野】
【０００１】
本発明は、例えばノートブックパーソナルコンピュータ（以下、「ノートパソコン」）といった電子機器に利用される筐体ユニットに関する。
【背景技術】
【０００２】
ノートパソコンは、表面にキーボードを露出させる本体筐体と、表面に液晶ディスプレイパネルを露出させるディスプレイ用筐体とを備える。ディスプレイ用筐体は相対回転自在に本体筐体に連結される。ディスプレイ用筐体は、本体筐体の表面に平行な水平軸回りで折り畳まれる。水平軸は、水平軸を含む水平面に直交する垂直軸回りで回転することができる。こうしてディスプレイ用筐体は垂直軸回りで回転する。その結果、ディスプレイ用筐体が折り畳まれると、ディスプレイ用筐体は表面で本体筐体の表面に受け止められることができる。同時に、ディスプレイ用筐体は裏面で本体筐体の表面に受け止められることができる。
【０００３】
ディスプレイ用筐体には突片部材が組み込まれる。突片部材は、ディスプレイ用筐体の表面から突き出る第１位置、および、ディスプレイ用筐体の裏面から突き出る第２位置の間を移動する。その一方で、本体筐体の表面には受け入れ穴が区画される。前述の水平軸が垂直軸回りで例えば所定の基準位置に位置合わせされると、ディスプレイ用筐体の表面が本体筐体の表面に重ね合わせられる際に第１位置の突片部材は受け入れ穴に進入する。同様に、水平軸が垂直軸周りで例えば所定の基準位置に位置合わせされると、ディスプレイ用筐体の裏面が本体筐体の表面に重ね合わせられる際に第２位置の突片部材は受け入れ穴に進入する。
【特許文献１】特開２００３−１５８６５７号公報
【特許文献２】特開平１１−３１２８７６号公報
【特許文献３】特開平５−３４３８６１号公報
【特許文献４】実開平５−５５５８５号公報
【発明の開示】
【発明が解決しようとする課題】
【０００４】
前述されるように、突片部材は第１位置および第２位置の間で移動する。したがって、突片部材の移動時に突片部材およびディスプレイ用筐体はしばしば接触してしまう。その結果、突片部材の表面には例えば線状痕が形成されてしまう。こうした線状痕は突片部材の見映えを悪化させる。
【０００５】
本発明は、上記実状に鑑みてなされたもので、突片部材の見映えの悪化を回避することができる筐体ユニットおよび電子機器を提供することを目的とする。
【課題を解決するための手段】
【０００６】
上記目的を達成するために、第１発明によれば、筐体と、筐体上で１直線に沿って案内され、筐体の表面から一端を突出させる第１位置、および、第１位置から筐体内に一端を後退させる第２位置の間で移動する突片部材とを備え、突片部材の表面には前記１直線に平行に縞模様が形成されることを特徴とする筐体ユニットが提供される。
【０００７】
こうした筐体ユニットでは、突片部材は筐体上で１直線に沿って案内される。こうして突片部材は第１位置および第２位置の間で移動する。突片部材の表面には前述の１直線に沿って縞模様が形成される。したがって、突片部材の移動中に例えば突片部材および筐体の接触に基づき突片部材の表面に線状痕が形成されても、線状痕は１直線に沿って縞模様と同一の方向に形成される。縞模様の働きで線状痕は目立たない。突片部材の見映えの悪化は回避されることができる。
【０００８】
こうした筐体ユニットは、筐体に組み込まれて突片部材の移動を案内する案内部材と、案内部材に形成されて、突片部材に向き合わせられる突起と、突片部材に形成されて、第１位置の突片部材上で突起を受け入れる第１窪みと、突片部材に形成されて、第２位置の突片部材上で突起を受け入れる第２窪みとをさらに備えてもよい。こうして突片部材の移動は案内部材に案内される。突片部材の移動中に例えば突片部材および案内部材の接触に基づき突片部材の表面に線状痕が形成されても、縞模様の働きで線状痕は目立たない。突片部材の見映えの悪化は回避されることができる。
【０００９】
第２発明によれば、第１筐体と、第１軸回りで第１筐体に対して相対回転して第１筐体の表面に表面で向き合う第２筐体と、第２筐体上で１直線に沿って案内され、第２筐体の表面から一端を突出させる第１位置、および、第１位置から第２筐体内に一端を後退させる第２位置の間で移動する突片部材と、第１筐体の表面に区画され、第２筐体が第１軸回りで特定位置に位置決めされると突片部材の一端の進入を受け入れる受け入れ穴とを備え、突片部材の表面には前記１直線に平行に縞模様が形成されることを特徴とする電子機器が提供される。
【００１０】
こうした電子機器では、突片部材は第２筐体上で１直線に沿って第１位置および第２位置の間を移動する。突片部材の表面には前述の１直線に沿って縞模様が形成される。前述と同様に、突片部材の移動中に例えば突片部材および筐体の接触に基づき突片部材の表面に線状痕が形成されても、線状痕は１直線に沿って縞模様と同一の方向に形成される。同様に、例えば突片部材および受け入れ穴の接触に基づき突片部材の表面に線状痕が形成されても、線状痕は１直線に沿って縞模様と同一の方向に形成される。こういった線状痕は縞模様の働きで目立たない。突片部材の見映えの悪化は回避されることができる。
【００１１】
こうした電子機器は、第２筐体に組み込まれて突片部材の移動を案内する案内部材と、案内部材に形成されて、突片部材に向き合わせられる突起と、突片部材に形成されて、第１位置の突片部材上で突起を受け入れる第１窪みと、突片部材に形成されて、第２位置の突片部材上で突起を受け入れる第２窪みとをさらに備えてもよい。こうして突片部材の移動は案内部材に案内される。突片部材の移動中に例えば突片部材および案内部材の接触に基づき突片部材の表面に線状痕が形成されても、縞模様の働きで線状痕は目立たない。突片部材の見映えの悪化は回避されることができる。
【００１２】
以上のような筐体ユニットや電子機器の実現にあたって部品ユニットが提供される。部品ユニットは、スライド部材と、１直線上に規定される第１位置、および、第１位置と異なる第２位置の間でスライド部材の移動を案内する案内部材とを備えればよい。このとき、スライド部材の表面には前記１直線に平行に縞模様が形成されればよい。縞模様は、スライド部材の表面に相互に並列に形成される溝および突壁に基づき区画されればよい。
【発明の効果】
【００１３】
以上のように本発明によれば、突片部材の見映えの悪化を回避することができる筐体ユニットおよび電子機器が提供されることができる。
【発明を実施するための最良の形態】
【００１４】
以下、添付図面を参照しつつ本発明の一実施形態を説明する。
【００１５】
図１は本発明の一実施形態に係る電子機器すなわちノートブックパーソナルコンピュータ（以下「ノートパソコン」）１１の外観を概略的に示す。このノートパソコン１１は、第１筐体すなわち本体筐体１２と、本体筐体１２に連結される第２筐体すなわちディスプレイ用筐体１３とを備える。本体筐体１２やディスプレイ用筐体１３は例えばポリカーボネートといった強化樹脂材料から構成されればよい。
【００１６】
本体筐体１２には例えばマザーボードが組み込まれる。マザーボード上には例えばＣＰＵ（中央演算処理装置）やメモリといった電子回路素子が搭載される。ＣＰＵは、例えばメモリに一時的に格納されるソフトウェアプログラムやデータに基づき様々な演算処理を実行する。ソフトウェアプログラムやデータは、同様に本体筐体１２内に収容されるハードディスク駆動装置（ＨＤＤ）といった大容量記憶装置に格納されればよい。
【００１７】
本体筐体１２にはキーボード１４や入力ボタン１５といった入力装置が組み込まれる。こういった入力装置１４、１５の働きで、ノートパソコン１１の利用者はＣＰＵに向けて様々な指令やデータを入力することができる。
【００１８】
ディスプレイ用筐体１３には、例えば液晶ディスプレイ（ＬＣＤ）パネル１６といった平面ディスプレイパネルが収容される。ディスプレイ用筐体１３は表面にＬＣＤパネル１６の画面を露出させる。ＬＣＤパネル１６の画面にはＣＰＵの演算処理に基づき様々なテキストやグラフィックスが表示されることができる。
【００１９】
ＬＣＤパネル１６の表面にはタッチパネル１７といった入力装置が配置される。例えばスタイラスペンの操作に基づきタッチパネル１７からＣＰＵに向けて様々な指令やデータは入力されることができる。
【００２０】
本体筐体１２とディスプレイ用筐体１３とは二軸回り回転機構２１（以下、「回転機構」）で相互に連結される。この回転機構２１は、本体筐体１２およびディスプレイ用筐体１３の間で第１軸すなわち水平軸２２回りの回転および第２軸すなわち垂直軸２３回りの回転を実現する。ここでは、水平軸２２は、本体筐体１２の表面の一端でその表面に平行に規定されればよい。垂直軸２３は、水平軸２２に直交する１平面内で規定される。垂直軸２３は本体筐体１２の表面に直交する。
【００２１】
ディスプレイ用筐体１３には例えば平板状のスライド部材すなわち突片部材２５が組み込まれる。突片部材２５の一端はディスプレイ用筐体１３の表面から突出する。突片部材２５は、水平軸２２を基準に所定の位置に配置される。その一方で、本体筐体１２の表面には受け入れ穴２６が区画される。受け入れ穴２６は、垂直軸２３を基準に所定の位置に配置される。ここで、突片部材２５および受け入れ穴２６はノートパソコン１１の固定構造として機能する。
【００２２】
いま、水平軸２２回りの相対回転に基づきディスプレイ用筐体１３の表面が本体筐体１２の表面に重ね合わせられる場面を想定する。図１に示されるように、ディスプレイ用筐体１３は垂直軸２３回りで特定位置に位置決めされる。この特定位置が確立されると、受け入れ穴２６と水平軸２２との間に水平軸２２および突片部材２５の位置関係を反映する位置関係が確立される。
【００２３】
この特定位置では、例えば図２に示されるように、ディスプレイ用筐体１３は水平軸２２回りで本体筐体１２に重ね合わせられることができる。ディスプレイ用筐体１３の第１姿勢は確立される。ディスプレイ用筐体１３の表面は本体筐体１２の表面に向き合わせられる。ここでは、垂直軸２３回りで特定位置が確立されることから、ディスプレイ用筐体１３の輪郭は本体筐体１２の輪郭に重なる。こうしてノートパソコン１１は折り畳まれる。
【００２４】
回転機構２１は、本体筐体１２の表面に向かってディスプレイ用筐体１３を押し付ける押し付け力を発揮する。その結果、本体筐体１２に対して水平軸２２回りにディスプレイ用筐体１３の相対回転は規制される。こういった回転機構２１の詳細は後述される。このとき、受け入れ穴２６は、ディスプレイ用筐体１３の表面から突出する突片部材２５の一端の進入を受け入れる。したがって、垂直軸２３回りにディスプレイ用筐体１３に外力が加わっても、本体筐体１２に対して垂直軸２３回りにディスプレイ用筐体１３の相対回転は規制される。ディスプレイ用筐体１３の第１姿勢は保持される。
【００２５】
例えば図３に示されるように、ディスプレイ用筐体１３は例えば１８０度の相対回転角で垂直軸２３回りに本体筐体１２に対して相対回転することができる。こうしてディスプレイ用筐体１３は垂直軸２３回りで特定位置に位置決めされる。この特定位置が確立されると、前述と同様に、受け入れ穴２６と水平軸２２との間には水平軸２２および突片部材２５の位置関係を反映する位置関係が確立される。
【００２６】
この特定位置では、例えば図４に示されるように、ディスプレイ用筐体１３は水平軸２２回りで本体筐体１２に重ね合わせられることができる。ディスプレイ用筐体１３の第２姿勢は確立される。ディスプレイ用筐体１３の裏面は本体筐体１２の表面に向き合わせられる。こうしてノートパソコン１１は折り畳まれる。
【００２７】
回転機構２１は、前述と同様に、本体筐体１２の表面に向かってディスプレイ用筐体１３を押し付ける押し付け力を発揮する。その結果、本体筐体１２に対して水平軸２２回りにディスプレイ用筐体１３の相対回転は規制される。このとき、受け入れ穴２６は、ディスプレイ用筐体１３の裏面から突出する突片部材２５の他端の進入を受け入れる。したがって、垂直軸２３回りにディスプレイ用筐体１３の相対回転は規制される。ディスプレイ用筐体１３の第２姿勢は保持される。
【００２８】
図５に示されるように、突片部材２５は案内部材２７に支持される。案内部材２７は１直線に沿って突片部材２５の移動を案内する。突片部材２５の移動方向は、ディスプレイ用筐体１３で第１姿勢や第２姿勢が確立された際に本体筐体１２の表面に直交すればよい。案内部材２７はディスプレイ用筐体１３に固定される。固定にあたって例えばねじ２８が用いられる。ねじ２８は、ディスプレイ用筐体１３の内壁面から立ち上がるボスに受け入れられればよい。ここでは、突片部材２５および案内部材２７は本発明の部品ユニットを構成する。突片部材２５およびディスプレイ用筐体１３は本発明の筐体ユニットを構成する。
【００２９】
回転機構２１は、軸受け３１と、垂直軸２３回りで軸受け３１に回転自在に支持される支軸３２とを備える。軸受け３１は例えば本体筐体１２の内壁面に固定される。軸受け３１の固定にあたって例えばねじ３３が用いられる。ねじ３３は、本体筐体１２の内壁面から直立するボスに受け入れられればよい。支軸３２の軸心は垂直軸２３に一致する。支軸３２には例えば化粧カバー３４が覆い被さる。
【００３０】
支軸３２には、相互に反対向きに延びる１対の軸部材３５、３５が一体化される。軸部材３５、３５の軸心は水平軸２２に一致する。軸部材３５の先端には連結片３６が軸部材３５の軸心回りで回転自在に連結される。連結片３６はディスプレイ用筐体１３の内壁面に固定される。固定にあたって例えばねじ３７が用いられる。ねじ３７は、ディスプレイ用筐体１３の内壁面から直立するボスに受け入れられればよい。ここでは、支軸３２および軸部材３５はステンレス鋼といった金属材料から一体成型されればよい。
【００３１】
こうした回転機構２１に基づき本体筐体１２およびディスプレイ用筐体１３は連結される。その結果、連結片３６が軸部材３５に対して相対回転すると、本体筐体１２に対してディスプレイ用筐体１３の水平軸２２回りの相対回転は実現されることができる。その一方で、支軸３２の軸心回りで連結片３６が軸受け３１に対して相対回転すると、本体筐体１２に対してディスプレイ用筐体１３の垂直軸２３回りの相対回転は実現されることができる。
【００３２】
図６に示されるように、連結片３６は環状部３８で軸部材３５の軸３５ａに連結される。環状部３８は、軸部材３５の軸心回りで回転することができる。環状部３８の外側には軸３５ａに支持される環状部材３９が配置される。環状部材３９の外側には同様に軸３５ａに支持される弾性部材すなわちばね４１が配置される。
【００３３】
ばね４１の外側には軸３５ａに固定される留め具４２が配置される。留め具４２に基づき環状部３８、環状部材３９およびばね４１は軸３５ａに保持される。軸部材３５の軸心回りに環状部材３９およびばね４１の回転は規制される。その一方で、環状部材３９はばね４１の伸縮に基づき軸部材３５の軸心方向に移動することができる。
【００３４】
環状部３８の外端面には環状部材３９の内端面が向き合わせられる。環状部３８の外端面にはカム面３８ａが形成される。その一方で、環状部材３９の内端面には突部３９ａが形成される。環状部材３９の内端面の形状は環状部３８の外端面の形状に一致する。環状部材３９の回転は規制されることから、環状部３８は環状部材３９に対して相対回転することができる。こうして突部３９ａおよびカム面３８ａはカム機構を構成する。
【００３５】
連結片３６すなわち環状部３８が回転すると、図７に示されるように、環状部３８および環状部材３９は相対回転する。ばね４１の働きで環状部材３９は環状部３８に押し付けられる。環状部３８がさらに回転すると、図８に示されるように、突部３９ａはカム面３８ａに押し付けられる。こうして突部３９ａの押し付け力は環状部３８の回転の駆動力に変換される。その結果、ディスプレイ用筐体１３には本体筐体１２に向かって前述の押し付け力が付与される。
【００３６】
図９は突片部材２５および案内部材２７の構造を概略的に示す。案内部材２７は、突片部材２５を支持する受け入れ部材２７ａと、受け入れ部材２７ａから相互に反対向きに延びる１対の平板部材２７ｂ、２７ｂとを備える。受け入れ部材２７ａは直方体の内部空間を区画する。受け入れ部材２７ａおよび平板部材２７ｂは例えば一体成型に基づき形成されればよい。平板部材２７ｂには前述のねじ２８を受け入れる貫通孔４５が形成される。突片部材２５や案内部材２７は例えば合成樹脂材料から構成されればよい。
【００３７】
突片部材２５の裏面には案内突起４６が形成される。案内突起４６は、受け入れ部材２７ａの内壁面に形成される案内溝４７に受け入れられる。案内溝４７は、突片部材２５の移動方向すなわち前述の１直線に沿って受け入れ部材２７ａの全長にわたって形成される。こうして案内部材２７は、案内突起４６および案内溝４７に基づき１直線に沿って突片部材２５の移動を案内することができる。突片部材２５の表面や裏面には前述の１直線に平行に縞模様４８が形成される。縞模様の詳細は後述される。
【００３８】
図１０を併せて参照し、突片部材２５には、一端および他端の間で突片部材２５の外形を仕切る１対の第１輪郭線５１、５１が規定される。第１輪郭線５１は、第１姿勢のディスプレイ用筐体１３で垂直軸２３に平行に規定される。突片部材２５には、水平軸２２に平行に設定される１対の第２輪郭線５２、５２が規定される。第２輪郭線５２は突片部材２５の一端および他端を区画する。
【００３９】
第１および第２輪郭線５１、５２は第３輪郭線５３で結ばれる。こうして突片部材２５にはいわゆる面取りが実現される。ここでは、第１および第２輪郭線５１、５２は例えば直線で規定されればよい。同様に、第３輪郭線５３は例えば直線で規定されればよい。その他、第３輪郭線５３は例えば湾曲線で規定されてもよい。
【００４０】
突片部材２５の側面には一端および他端の間で１対の突部５４、５４が形成される。その一方で、受け入れ部材２７ａの一端には突片部材２５に向かって突き出る突壁５５が形成される。突片部材２５が第１位置に位置決めされると、突部５４は突壁５５に受け止められる。こうして受け入れ部材２７ａから突片部材２５の抜け落ちは回避されることができる。
【００４１】
その一方で、受け入れ部材２７ａの他端はディスプレイ用筐体１３の内壁面に受け止められる。突片部材２５が第２位置に位置決めされると、突部５４はディスプレイ用筐体１３の内壁面に受け止められる。こうして受け入れ部材２７ａから突片部材２５の抜け落ちは回避されることができる。
【００４２】
図１１に示されるように、突片部材２５の表面および裏面には、第１窪み６１および第２窪み６２が形成される。この第１および第２窪み６１、６２の間には第３窪み６３が形成される。第１および第２窪み６１、６２並びに第３窪み６３は１直線上に配置される。第１〜第３窪み６１、６２、６３は半球状に窪む。
【００４３】
突片部材２５の表面および裏面には、第１窪み６１および第３窪み６３の間、第２窪み６２および第３窪み６３の間を接続する接続溝６４、６４がさらに形成される。突片部材２５の表面からの深さは、接続溝６４よりも第１〜第３窪み６１、６２、６３で大きく設定されればよい。前述の縞模様４８は突片部材２５の一端から他端まで広がる。
【００４４】
図１２に示されるように、受け入れ部材２７ａの内壁面には突片部材２５の表面および裏面に向き合わせられる１対の突起６５が形成される。突起６５は例えば半球状に盛り上がる。第１窪み６１は第１位置の突片部材２５上で突起６５を受け入れる。第２窪み６２は第２位置の突片部材２５上で突起６５を受け入れる。こうして第１〜第３窪み６１、６２、６３並びに接続溝６４で突起６５の移動経路は規定される。
【００４５】
突片部材２５が第１位置に配置されると、突起６５は第１窪み６１に受け入れられる。突片部材２５が第１位置から第２位置に向かって移動すると、突片部材２５は一端を後退させる。このとき、突起６５は、第１窪み６１、第３窪み６３および第２窪み６２に順番に受け入れられる。このとき、突起６５は第３窪み６３に受け入れられる。その結果、第１および第２窪み６１、６２の間に比較的に大きな距離が設定されても、突起６５および突片部材２５では変形はできる限り回避されることができる。
【００４６】
しかも、突起６５が第３窪み６３に受け入れられると、突片部材２５は第１位置および第２位置の間の位置で保持される。こうして突片部材２５は例えばディスプレイ用筐体１３の表面および裏面から一端および他端を同時に突出させることができる。すなわち、突片部材２５では、一端から他端までの長さは、ディスプレイ用筐体１３の表面および裏面から一端および他端を同時に突出させることができる長さに設定されればよい。
【００４７】
図１３に示されるように、縞模様４８は、突片部材２５の表面および裏面に形成される溝４８ａおよび突壁４８ｂから区画される。溝４８ａおよび突壁４８ｂは前述の１直線に平行に延びる。すなわち、溝４８ａおよび突壁４８ｂは相互に平行に延びる。溝４８ａ同士の間隔や突壁４８ｂ同士の間隔は例えば１〜２ｍｍ程度に設定されればよい。こうした突片部材２５は例えば成型に基づき形成される。縞模様４８は成型に基づき形成されればよい。
【００４８】
こうしたノートパソコン１１では、縞模様４８は１直線に平行に形成される。縞模様４８の働きで、１直線に沿って突片部材２５の移動中、突片部材２５およびディスプレイ用筐体１３の接触や突片部材２５および案内部材２７の接触に基づき突片部材２５の表面や裏面に線状痕が形成されても、線状痕は目立たない。突片部材２５の表面や裏面の見映えの悪化は回避される。
【００４９】
しかも、突片部材２５は案内部材２７やディスプレイ用筐体１３に対して突壁４８ｂの頂上で接触する。突片部材２５の表面や裏面が平坦面で形成される場合に比べて、突片部材２５と案内部材２７やディスプレイ用筐体１３との間で接触面積は著しく減少する。その結果、突片部材２５と案内部材２７やディスプレイ用筐体１３との間で摩擦力は軽減される。突片部材２５の表面や裏面では線状痕の形成はできる限り回避される。
【００５０】
こうした突片部材２５の成型時、突片部材２５の裏面には例えばノックピンの痕跡が残存する。突片部材２５が案内部材２７に組み込まれる際、案内突起４６および案内溝４７の位置合わせに基づき突片部材２５は案内部材２７に組み込まれる。その結果、突片部材２５は案内部材２７に所定の向きでのみ受け入れられることができる。突片部材２５の裏面が利用者の目から反対側に向けられれば、ノックピンの痕跡は隠される。突片部材２５の見映えの悪化は避けられる。
【００５１】
以上のようなノートパソコン１１では、折り畳みに先立って、例えばディスプレイ用筐体１３が特定位置から垂直軸２３回りで本体筐体１２に対してずれることが想定される。このとき、ディスプレイ用筐体１３が水平軸２２回りで本体筐体１２に対して相対回転すると、突片部材２５の一端は本体筐体１２の表面に接触する。このとき、例えば図１４に示されるように、接触に基づき突片部材２５は第１位置から第２位置に向かって移動することができる。本体筐体１２の表面で傷つきや破損は回避されることができる。例えば突片部材２５の他端が本体筐体１２の表面に接触する場合にも同様に、接触に基づき突片部材２５は第２位置から第１位置に向かって移動することができる。本体筐体１２の表面で傷つきや破損は回避されることができる。
【００５２】
しかも、突片部材２５にはいわゆる面取りが施される。したがって、ディスプレイ用筐体１３が特定位置から垂直軸２３回りで本体筐体１２に対してずれたとしても、例えば図１５に示されるように、突片部材２５は第３輪郭線５３で受け入れ穴２６の開口を受け止めることができる。こうした面取りに基づき突片部材２５の一端や他端は受け入れ穴２６に比較的に簡単に誘導されることができる。
【００５３】
また、ディスプレイ用筐体１３が表面や裏面を変えて頻繁に折り畳まれる場合、突片部材２５は、ディスプレイ用筐体１３の表面および裏面から一端および他端を同時に突出した状態で保持されればよい。このとき、前述されるように、突起６５は第３窪み６３に受け入れられればよい。こうして、ノートパソコン１１が折り畳まれる際、突片部材２５の位置の調整といった作業は必要とされない。
【００５４】
その他、本発明の電子機器には、ノートパソコン１１の他に、例えば携帯電話端末装置や携帯情報端末（ＰＤＡ）といったその他の電子機器が含まれることができる。
【００５５】
（付記１）  筐体と、筐体上で１直線に沿って案内され、筐体の表面から一端を突出させる第１位置、および、第１位置から筐体内に一端を後退させる第２位置の間で移動する突片部材とを備え、突片部材の表面には前記１直線に平行に縞模様が形成されることを特徴とする筐体ユニット。
【００５６】
（付記２）  付記１に記載の筐体ユニットにおいて、前記筐体に組み込まれて前記突片部材の移動を案内する案内部材と、案内部材に形成されて、前記突片部材に向き合わせられる突起と、前記突片部材に形成されて、前記第１位置の突片部材上で突起を受け入れる第１窪みと、前記突片部材に形成されて、前記第２位置の突片部材上で突起を受け入れる第２窪みとをさらに備えることを特徴とする筐体ユニット。
【００５７】
（付記３）  第１筐体と、第１軸回りで第１筐体に対して相対回転して第１筐体の表面に表面で向き合う第２筐体と、第２筐体上で１直線に沿って案内され、第２筐体の表面から一端を突出させる第１位置、および、第１位置から第２筐体内に一端を後退させる第２位置の間で移動する突片部材と、第１筐体の表面に区画され、第２筐体が第１軸回りで特定位置に位置決めされると突片部材の一端の進入を受け入れる受け入れ穴とを備え、突片部材の表面には前記１直線に平行に縞模様が形成されることを特徴とする電子機器。
【００５８】
（付記４）  付記３に記載の電子機器において、前記第２筐体に組み込まれて前記突片部材の移動を案内する案内部材と、案内部材に形成されて、前記突片部材に向き合わせられる突起と、前記突片部材に形成されて、前記第１位置の突片部材上で突起を受け入れる第１窪みと、前記突片部材に形成されて、前記第２位置の突片部材上で突起を受け入れる第２窪みとをさらに備えることを特徴とする電子機器。
【００５９】
（付記５）  スライド部材と、１直線上に規定される第１位置、および、第１位置と異なる第２位置の間でスライド部材の移動を案内する案内部材とを備え、スライド部材の表面には前記１直線に平行に縞模様が形成されることを特徴とする部品ユニット。
【００６０】
（付記６）  付記５に記載の部品ユニットにおいて、前記縞模様は、前記スライド部材の表面に相互に並列に形成される溝および突壁に基づき区画されることを特徴とする部品ユニット。
【図面の簡単な説明】
【００６１】
【図１】本発明の一実施形態に係る電子機器すなわちノートパソコンの構造を概略的に示す斜視図である。
【図２】ディスプレイ用筐体の表面が本体筐体の表面に重ね合わせられた状態を示すノートパソコンの斜視図である。
【図３】ディスプレイ筐体が垂直軸回りで回転した状態を示すノートパソコンの斜視図である。
【図４】ディスプレイ用筐体の裏面が本体筐体の表面に重ね合わせられた状態を示すノートパソコンの斜視図である。
【図５】案内部材および回転機構の構造を概略的に示すノートパソコンの部分拡大斜視図である。
【図６】回転機構の構造を概略的に示す部分拡大側面図である。
【図７】回転機構の動作を概略的に示す部分拡大側面図である。
【図８】回転機構の動作を概略的に示す部分拡大側面図である。
【図９】突片部材および案内部材の構造を概略的に示す斜視図である。
【図１０】図９の１０−１０線に沿った断面図である。
【図１１】突片部材の構造を概略的に示す斜視図である。
【図１２】図９の１２−１２線に沿った断面図である。
【図１３】縞模様の構造を概略的に示す突片部材の断面図である。
【図１４】垂直軸回りで回転した後にディスプレイ用筐体の表面が本体筐体の表面に重ね合わせられた状態を示すノートパソコンの斜視図である。
【図１５】突片部材が受け入れ穴に受け入れられる様子を概略的に示す図である。
【符号の説明】
【００６２】
１１  電子機器（ノートブックパーソナルコンピュータ）、１２  第１筐体（本体筐体）、１３  第２筐体（ディスプレイ用筐体）、１３  筐体（ディスプレイ用筐体）、２２  第１軸（水平軸）、２５  突片部材、２５  スライド部材、２６  受け入れ穴、２７  案内部材、４８  縞模様、４８ａ  溝、４８ｂ  突壁、６１  第１窪み、６２  第２窪み、６５  突起。
【図１】
2008065444.tif 000003
【図２】
2008065444.tif 000004
【図３】
2008065444.tif 000005
【図４】
2008065444.tif 000006
【図５】
2008065444.tif 000007
【図６】
2008065444.tif 000008
【図７】
2008065444.tif 000009
【図８】
2008065444.tif 000010
【図９】
2008065444.tif 000011
【図１０】
2008065444.tif 000012
【図１１】
2008065444.tif 000013
【図１２】
2008065444.tif 000014
【図１３】
2008065444.tif 000015
【図１４】
2008065444.tif 000016
【図１５】
2008065444.tif 000017